(57)【要約】【課題】複数の機器のスピーカーの有効利用を図る。【解決手段】音響再生出力装置１０のチャンネル制御部は、ＭＤ再生部によって読み出された２チャンネルの音響信号を、出力設定条件メモリに格納された設定内容に応じてＲチャンネル用の音響信号を音響再生出力装置２０に対して出力するとともに、Ｌチャンネル用の音響信号に対応する音響をスピーカー部から出力させる。Ｒチャンネル用の音響信号が入力された音響装置２０のチャンネル制御部は、入力された音響信号に対応する音響をスピーカー部から出力させる。【選択図】　　　図３
2004007536.tif 000002
【特許請求の範囲】
【請求項１】
スピーカを有する音響再生出力装置において、
記録媒体に記録された複数チャンネルの音響信号を再生する再生部と、
外部装置が接続される外部出力端子と、
前記再生部の出力信号の各チャンネルについての出力先を指定する出力設定条件が記憶される記憶部と、
前記記憶部内の条件に基づいて前記再生信号を外部出力端子および前記スピーカーへ分離して出力する出力制御部と
を備えることを特徴とする音響再生出力装置。
【請求項２】
請求項１記載の音響再生出力装置において、
出力モードと入力モードの切り換えを指示する操作部と、
外部から音響信号が入力される入力部とを備え、
前記出力制御部は、前記操作部によって出力モードが指示された場合には、前記記憶部内の条件に基づいて前記再生信号を外部出力端子および前記スピーカーへ分離して出力し、前記操作部によって入力モードが指示された場合には、前記入力部に入力された音響信号を前記スピーカーに供給することを特徴とする音響再生出力装置。
【請求項３】
請求項２記載の音響再生出力装置において、
前記条件には出力先となる外部装置を特定するコードおよび前記各コードに割り当てられるチャンネルが含まれ、
前記出力制御部は、出力モードの際には前記外部出力端子から前記条件に含まれる前記コードとそれに対応するチャンネルの情報を出力し、入力モードの際には前記入力部から得られる前記コードとチャネルの情報のうち、自らに対応する情報に応じたチャネルの前記音響信号を抽出して前記スピーカーに供給することを特徴とする音響再生出力装置。
【請求項４】
請求項２または３のいずれかに記載の音響再生出力装置において、
前記外部出力端子と入力部とは共通の端子によって構成され、前記操作部のモード切替に応じていずれかに切り換えられることを特徴とする音響再生出力装置。
【請求項５】
スピーカを有する音響再生出力装置を制御する制御方法において、
記録媒体に記録された複数チャンネルの音響信号を再生させる再生段階と、
前記再生段階における出力信号の各チャンネルについての出力先を指定する出力設定条件に基づいて前記再生信号を外部装置が接続される外部出力端子および前記スピーカーへ分離して出力させる出力段階と
を備えることを特徴とする音響再生出力装置の制御方法。
【請求項６】
スピーカを有する音響再生出力装置を制御するプログラムを記録した記録媒体であって、
コンピュータを、
他の記録媒体に記録された複数チャンネルの音響信号を再生させる再生手段と、
前記再生手段による出力信号の各チャンネルについての出力先を指定する出力設定条件に基づいて前記再生信号を外部装置が接続される外部出力端子および前記スピーカーへ分離して出力させる出力手段として機能させるためのプログラムを記録した記録媒体。
【請求項７】
スピーカを有する音響再生出力装置を制御するプログラムであって、
コンピュータを、
記録媒体に記録された複数チャンネルの音響信号を再生させる再生手段と、
前記再生手段による出力信号の各チャンネルについての出力先を指定する出力設定条件に基づいて前記再生信号を外部装置が接続される外部出力端子および前記スピーカーへ分離して出力させる出力手段として機能させるためのプログラム。
【発明の詳細な説明】
【０００１】
【発明の属する技術分野】
本発明は、音響再生出力装置、その制御方法、記録媒体およびプログラムに係り、特に、スピーカーを有する音響再生出力装置から音響を出力させるための技術に関する。
【０００２】
【従来の技術】
一般に、スピーカーを有するカセットプレイヤーやＣＤプレイヤーなどの音響再生出力装置は、音響再生出力装置にセットされたカセットテープやＣＤに記憶されている音響信号を再生し、この音響信号に対応する音響をスピーカーから出力している。この場合、小型の機器においては、ヘッドホンを用いて再生を行うことが一般に行われ、スピーカーによる再生は複数の人が聞く場合など一部の限られた状況だけで行われるのが普通である。このため、ヘッドホン再生においてはステレオ２チャンネルで再生されても、使用頻度の少ないスピーカーは機器を小型化するために１個しか内蔵されないことが多く、モノラル再生となっていた。
【０００３】
【発明が解決しようとする課題】
ところで、小型の音響再生装置は近年広く普及しており、数人集まればそれぞれが自分の小型音響再生装置を持っていることが多い。しかしながら、従来の小型音響再生出力装置においては、それぞれの機器が内蔵のスピーカーを鳴動することしかできず、スピーカーというハードウエア資源の有効利用が図れないという問題があった。
【０００４】
そこで、本発明は、上述した事情に鑑みてなされたものであり、複数の機器のスピーカーの有効利用を図ることができる音響再生出力装置、その制御方法、記録媒体およびプログラムを提供することを目的とする。
【０００５】
【課題を解決するための手段】
上述した課題を解決するために、本発明に係る音響再生出力装置は、スピーカを有する音響再生出力装置において、記録媒体に記録された複数チャンネルの音響信号を再生する再生部と、外部装置が接続される外部出力端子と、前記再生部の出力信号の各チャンネルについての出力先を指定する出力設定条件が記憶される記憶部と、前記記憶部内の条件に基づいて前記再生信号を外部出力端子および前記スピーカーへ分離して出力する出力制御部とを備えることを特徴としている。
この構成によると、記憶部により記憶された出力設定条件に基づいて、出力制御部によって再生信号が外部出力端子およびスピーカーへ分離して出力される。したがって、各音響再生出力装置は、一の音響再生出力装置において再生された音響信号を、出力設定条件に基づいて処理された多種多様な音響として出力することが可能になる。
【０００６】
また、本発明に係る音響再生出力装置の制御方法は、スピーカを有する音響再生出力装置を制御する制御方法であって、記録媒体に記録された複数チャンネルの音響信号を再生させる再生段階と、前記再生段階における出力信号の各チャンネルについての出力先を指定する出力設定条件に基づいて前記再生信号を外部装置が接続される外部出力端子および前記スピーカーへ分離して出力させる出力段階とを備えることを特徴としている。
【０００７】
また、本発明に係る記録媒体は、スピーカを有する音響再生出力装置を制御するプログラムを記録した記録媒体であって、コンピュータを、他の記録媒体に記録された複数チャンネルの音響信号を再生させる再生手段と、前記再生手段による出力信号の各チャンネルについての出力先を指定する出力設定条件に基づいて前記再生信号を外部装置が接続される外部出力端子および前記スピーカーへ分離して出力させる出力手段として機能させることを特徴としている。
【０００８】
また、本発明に係るプログラムは、スピーカを有する音響再生出力装置を制御するプログラムであって、コンピュータを、記録媒体に記録された複数チャンネルの音響信号を再生させる再生手段と、前記再生手段による出力信号の各チャンネルについての出力先を指定する出力設定条件に基づいて前記再生信号を外部装置が接続される外部出力端子および前記スピーカーへ分離して出力させる出力手段として機能させることを特徴としている。
【０００９】
【発明の実施の形態】
次に、図面を参照して本発明の好適な実施形態について説明する。かかる実施形態は本発明の一態様を示すものであり、この発明を限定するものではない。また、本発明は、その技術的思想の範囲内で任意に変更が可能である。
［１］　第１実施形態の構成
［１．１］　第１実施形態の構成
【００１０】
次に、図１を参照して音響再生出力装置１０の概要構成を説明する。
まず１６は操作部であり、ユーザによりＭＤの再生、停止、早送りなどの各種操作がなされる。操作部１６はユーザの操作に対応した信号を出力し、制御部１９に供給する。制御部１９は操作部１６からの操作信号に対応する制御を装置各部に対して行う。
１８は、液晶画面を備える表示部である。この表示部１８には、操作部１６により行われる各種操作の内容や、操作部１６により設定された設定内容の内容が表示される。
【００１１】
ＭＤ再生部１１は、音響再生出力装置１０にセットされたミニディスク（ＭＤ）から２チャンネルのステレオ音響信号を読み出して再生する。ＭＤ再生部１１は、音響再生出力装置１０にセットされたＭＤの再生が終了したときに、再生が終了したことを示す再生終了信号を出力し、制御部１９に供給する。なお、本実施形態においては、記録媒体としてＭＤを用いているが、記録媒体はこれに限られない。例えば、記録媒体としてコンパクトディスク（ＣＤ）、光ディスク、光磁気ディスク、カセットテープ等を用いてもよい。
【００１２】
出力設定条件メモリ１７は、動作条件を記憶するメモリであり、操作部１６の操作に応じた情報を記憶する。
ここで、図２は出力設定条件メモリ１７の記憶内容を示す概念図である。図２において、再生側情報エリア１７１には、当該音響再生出力装置１０を再生機として使用するか、あるいは、他の音響再生出力装置の外部スピーカーとして使用するかを示す情報が記憶される。本実施形態においては、音響再生出力装置１０を２台つなげて連携させることができるようになっており、２台つなげた場合に、一方が再生側となり、他方が再生側の外部スピーカーとして機能するようになっている。
【００１３】
図２に示すチャンネルの種類エリア１７２には、２台の音響再生出力装置を接続した場合に、自らの装置で再生させるチャンネルと他の装置に再生させるチャンネルを指定する情報が記憶される。図示の状態では、自装置にＬチャンネル、他の装置にＲチャンネルが設定されている。遅延時間エリア１７３には、２台の音響再生出力装置を接続した場合に、他方の装置での再生タイミングを遅らせる遅延時間情報が記憶されるようになっている。
【００１４】
１５はヘッドフォンのプラグが差し込まれる端子である。１４は出力／入力端子であり、２台の音響再生出力装置を接続する出力／入力用コードのプラグが差し込まれる端子である。
チャンネル制御部１２は、端子１４に出力／入力用コードのプラグが差し込まれている場合には、出力設定条件メモリ１７の設定内容に応じて、ＭＤ再生部１１により再生された２チャンネルのステレオ音響信号の出力先を切り換えたり、端子１４から入力された音響信号の出力先を制御する。
ただし、端子１５にヘッドフォンのプラグが差し込まれている場合には、チャンネル制御部１２は、出力設定条件メモリ１７の設定内容に関わらず、ＭＤ再生部１１により再生された２チャンネルのステレオ音響信号を端子１５へ出力する。
【００１５】
また、チャンネル制御部１２は、端子１４および端子１５の両方にプラグが差し込まれている場合には、端子１５を優先して、ＭＤ再生部１１により再生された２チャンネルのステレオ音響信号を端子１５へ出力する。
さらに、チャンネル制御部１２は、端子１４および端子１５のいずれにもプラグが差し込まれていない場合には、出力設定条件メモリ１７の設定内容に関わらず、ＭＤ再生部１１により再生された２チャンネルのステレオ音響信号をモノラル音響信号に変換して内蔵スピーカー１３へ出力する。
すなわち、端子１５にヘッドフォンのプラグが差し込まれている場合には、ヘッドフォンにより音楽を聴くことができ、端子１４および端子１５にプラグが差し込まれていない場合には、内蔵スピーカー１３から音楽を聴くことができる。制御部１９は、ＭＤ再生部１１から再生終了信号を受信した場合に、この再生終了信号を端子１４へ出力する。
【００１６】
ここで、出力設定条件メモリ１７の設定内容とチャンネル制御部１２における制御との対応関係を説明する。
チャンネル制御部１２は、端子１４に出力／入力用コードのプラグが差し込まれていることを条件に、以下の処理を行う。
まず、再生側情報エリア１７１内の設定内容が“ＯＮ”であるときには、チャンネル制御部１２は、チャンネルの種類エリア１７２内の設定内容に応じたチャンネル信号を、内蔵スピーカーおよび端子１４に各々出力する。図２に示す設定例の場合は、Ｌチャンネルの音響信号をスピーカー１３に、Ｒチャンネルの音響信号を端子１４に各々出力する。一方、再生側情報エリア１７１内の設定内容が“ＯＦＦ”であるときには、チャンネル制御部１２は、端子１４から入力された音響信号を内蔵スピーカー１３へ出力する。
【００１７】
［１．２］　第１実施形態の動作
はじめに、音響再生出力装置１０と、音響再生出力装置１０と同じ構成の音響再生出力装置２０を図３に示すように接続した場合の動作例について説明する。図示の状態では、再生側情報エリア１７１が“ＯＮ”に設定されている音響再生出力装置１０がＭＤを再生する側であり、再生側情報エリア１７１が“ＯＦＦ”に設定されている音響再生出力装置２０が音響再生出力装置１０の外部スピーカーとして機能する側である。
【００１８】
音響再生出力装置１０のチャンネル制御部１２は、ＭＤ再生部１１により再生されたステレオ音響信号を図３に示す設定条件に応じて次のように処理する。音響再生出力装置１０のチャンネル制御部１２は、Ｌチャンネル用の音響信号を音響再生出力装置１０の内蔵スピーカー１３へ出力し、Ｒチャンネル用の音響信号を音響再生出力装置１０の端子１４を介して音響再生出力装置２０へ出力する。次に、音響再生出力装置２０のチャンネル制御部１２は、端子１４から入力されたＲチャンネル用の音響信号を、音響再生出力装置２０の内蔵スピーカー１３へ出力する。
これにより、音響再生出力装置１０の内蔵スピーカー１３からは、Ｌチャンネル用の音響信号に対応する音響が出力され、音響再生出力装置２０の内蔵スピーカー１３からは、Ｒチャンネル用の音響信号に対応する音響が出力される。
【００１９】
［１．２．１］　分離再生処理動作
次に、図４を参照して、音響信号を再生する側の装置である音響再生出力装置１０と、音響再生出力装置１０のスピーカーとして機能する音響再生出力装置２０の動作例を説明する。
まず、音響再生出力装置１０のチャンネル制御部１２は、端子１４に出力／入力用コードのプラグが差し込まれているか否かを判断する（ステップＳ１）。
【００２０】
ステップＳ１の判断において、出力／入力用コードのプラグが差し込まれていると判断された場合に（ステップＳ１；ＹＥＳ）、音響再生出力装置１０のチャンネル制御部１２は、出力設定条件メモリ１７から設定内容を抽出する（ステップＳ２）。ここで、この動作例では、出力設定条件メモリ１７に対して、図３に示される設定内容が予め登録されているものとする。
次に、音響再生出力装置１０のＭＤ再生部１１は、当該音響再生出力装置１０にセットされたＭＤから２チャンネルのステレオ音響信号を読み出して再生する（ステップＳ３）。
【００２１】
チャンネル制御部１２は、設定内容に応じてＲチャンネル用の音響信号を、音響再生出力装置１０の端子１４を介して音響再生出力装置２０に出力する（ステップＳ４）。
音響再生出力装置２０のチャンネル制御部１２は、端子１４から音響信号が入力されると出力設定条件メモリ１７から設定内容を抽出する（ステップＳ５）。そして、チャンネル制御部１２は、抽出した設定内容の再生側情報エリア１７１が“ＯＦＦ”であることを認識した後に、端子１４から入力されたＲチャンネル用の音響信号に対応する音響を、音響再生出力装置２０の内蔵スピーカー１３から出力させる（ステップＳ６）。
一方、音響再生出力装置１０のチャンネル制御部１２は、設定内容に応じてＬチャンネル用の音響信号に対応する音響を音響再生出力装置１０の内蔵スピーカー１３から出力させる（ステップＳ７）。
【００２２】
［１．２．２］　再生装置の切り換え動作
次に、図５を参照して、音響再生出力システム１において音響信号を再生する側の音響再生出力装置を切り換える際の動作例を説明する。ここで、図５に示すステップＳ１１からステップＳ１７までの処理は、図４に示すステップＳ１からステップＳ７までの処理と同様の処理であるため詳細な説明を省略する。
【００２３】
図５に示すように、ステップＳ１１からステップＳ１７までの処理において、各音響再生出力装置１０、２０のチャンネル制御部は、音響再生出力装置１０にセットされたＭＤに記録されているステレオ音響信号を、設定内容に応じて、それぞれの内臓スピーカーへ出力している。
【００２４】
次に、音響再生出力装置１０にセットされたＭＤに記録されている音響信号の再生が終了したことを検知したＭＤ再生部１１は、その旨をチャンネル制御部１２に通知する。チャンネル制御部１２は、出力設定条件メモリの再生側情報エリア１７１に格納されている内容を“ＯＮ”から“ＯＦＦ”に切り換える（ステップＳ１８）。
そして、音響再生出力装置１０のチャンネル制御部１２は、再生終了信号を音響再生出力装置２０に対して送信する（ステップＳ１９）。ここで、再生終了信号は、ＭＤに記録されている音響信号の再生が全て終了した場合に送信されることに限られない。例えば、ユーザにより設定された曲の再生が終了した場合にも再生終了信号が送信されるようにしてもよい。
【００２５】
再生終了信号を受信した音響再生出力装置２０のチャンネル制御部１２は、出力設定条件メモリに記憶されている設定内容を抽出し、再生側情報エリア１７１に格納されている内容を“ＯＦＦ”から“ＯＮ”に更新する（ステップＳ２０）。
次に、音響再生出力装置２０のＭＤ再生部１１は、ＭＤの再生を開始するべく、当該音響再生出力装置２０にセットされたＭＤから２チャンネルのステレオ音響信号を読み出して再生する（ステップＳ２１）。
チャンネル制御部１２は、設定内容に応じてＬチャンネル用の音響信号を、音響再生出力装置２０の端子１４を介して音響再生出力装置２０に出力する（ステップＳ２２）。
【００２６】
音響再生出力装置１０のチャンネル制御部１２は、端子１４から音響信号が入力されると設定内容の再生側情報エリア１７１に格納されている内容が“ＯＦＦ”であることを認識した後に、端子１４から入力されたＬチャンネル用の音響信号に対応する音響を、音響再生出力装置１０の内蔵スピーカー１３から出力させる（ステップＳ２３）。
一方、音響再生出力装置２０のチャンネル制御部１２は、設定内容に応じてＲチャンネル用の音響信号に対応する音響を音響再生出力装置１０の内蔵スピーカー１３から出力させる（ステップＳ２４）。
【００２７】
［１．２．３］　遅延再生動作
次に、図６を参照して、音響再生出力装置２０から出力される音響を、音響再生出力装置１０から出力される音響よりも遅延させて出力する際の動作例を説明する。
まず、音響再生出力装置１０のチャンネル制御部１２は、端子１４に出力／入力用コードのプラグが差し込まれているか否かを判断する（ステップＳ３１）。
【００２８】
ステップＳ３１の判断において、出力／入力用コードのプラグが差し込まれていると判断された場合に（ステップＳ３１；ＹＥＳ）、音響再生出力装置１０のチャンネル制御部１２は、出力設定条件メモリ１７から設定内容を抽出する（ステップＳ３２）。ここで、この動作例では、出力設定条件メモリ１７に記憶されている設定内容の遅延時間エリア１７３には、３秒に対応するデータが予め登録されている。また、設定内容の遅延時間エリア１７３に格納されているデータが０以外の場合には、チャネルの種類エリア１７２に格納されているデータに関わらず、チャンネル制御部１２は、各内臓スピーカー１３からモノラルの音響信号に対応する音響を出力させる。
【００２９】
次に、音響再生出力装置１０のＭＤ再生部１１は、当該音響再生出力装置１０にセットされたＭＤから２チャンネルのステレオ音響信号を読み出して再生する（ステップＳ３３）。
チャンネル制御部１２は、ＭＤ再生部１１によって再生された２チャンネルのステレオ音響信号を混合してモノラル音響信号に変換する。そして、チャンネル制御部１２は、抽出された設定内容に基づいて、モノラル音響信号に加え、当該モノラル音響信号を音響再生出力装置１０よりも３秒遅延させてから出力させる旨の制御信号を音響再生出力装置２０に対して出力する（ステップＳ３４）。
【００３０】
それと同時にチャンネル制御部１２は、モノラル音響信号に対応する音響を内臓スピーカー１３から出力させる（ステップＳ３５）。
一方、音響再生出力装置１０から音響信号を受信した音響再生出力装置２０のチャンネル制御部１２は、音響再生出力装置１０の内臓スピーカー１３から出力される音響よりも３秒遅延させてから当該音響を音響再生出力装置２０の内臓スピーカー１３から出力させる（ステップＳ３６）。
【００３１】
［２］　第２実施形態の構成
［２．１］　第２実施形態の構成
図７に、本発明の実施形態である音響再生出力システム２の概要構成を示す。図７に示すように、音響再生出力システム２は、５台の音響再生出力装置１０，２０，３０，４０，５０により構成されている。
この音響再生出力システム２は、音響信号を再生する装置である音響再生出力装置１０で再生された５．１チャンネルのステレオ音響信号のうち、前方中央（Ｃ）チャンネル用の音響信号が音響再生出力装置１０から出力され、前方Ｒ（ＦＲ）チャンネル用の音響信号が音響再生出力装置２０から出力され、前方Ｌ（ＦＬ）チャンネル用の音響信号が音響再生出力装置３０から出力され、後方Ｒ（ＲＲ）チャンネル用の音響信号が音響再生出力装置４０から出力され、後方Ｌ（ＲＬ）チャンネル用の音響信号が音響再生出力装置５０から出力されるものである。
【００３２】
ここで、音響再生出力装置１０，２０，３０，４０，５０の概要構成は、第１実施形態と同様に構成されているため、同様の部分の詳細な説明については省略する。
ＭＤ再生部１１は、音響再生出力装置１０にセットされたミニディスク（ＭＤ）から５．１チャンネルのステレオ音響信号を読み出して再生する。
図８は出力設定条件メモリ１７の記憶内容を示す概念図である。図８において、再生側情報エリア１７１には、当該音響再生出力装置１０を再生機として使用するか、あるいは、他の音響再生出力装置の外部スピーカーとして使用するかを示す情報が記憶される。本実施形態においては、音響再生出力装置１０を５台つなげて連携させることができるようになっており、５台つなげた場合に、１台が再生する装置となり、他の４台が再生する装置の外部スピーカーとして機能するようになっている。
図８に示す接続台数エリア１７４には、音響再生出力装置を接続する台数を指定する情報が記憶される。接続番号エリア１７５には、音響再生出力装置を識別する情報が記憶される。本実施形態においては、接続台数が５台であるため、接続番号エリア１７５には、“１”から“５”までのいずれかの番号が格納される。
【００３３】
チャンネルの種類エリア１７２には、音響再生出力装置と再生チャンネルの関係を指定する情報が記憶される。図示の状態では、接続番号が“１”である自装置にＣチャンネル、接続番号が“２”である他の装置にＦＲチャンネル、接続番号が“３”である他の装置にＦＬチャンネル、接続番号が“４”である他の装置にＲＲチャンネル、接続番号が“５”である他の装置にＲＬチャンネルが設定されている。遅延時間エリア１７３には、５台の音響再生出力装置を接続した場合に、他の装置での再生タイミングを順次遅らせる遅延時間情報が記憶されるようになっている。
【００３４】
チャンネル制御部１２は、端子１４に出力／入力用コードのプラグが差し込まれている場合には、出力設定条件メモリ１７の設定内容に応じて、ＭＤ再生部１１により再生された５．１チャンネルのステレオ音響信号の出力先を切り換えたり、端子１４から入力された音響信号の出力先を制御する。
ここで、端子１５にヘッドフォンのプラグが差し込まれている場合、端子１４および端子１５の両方にプラグが差し込まれている場合、端子１４および端子１５のいずれにもプラグが差し込まれていない場合におけるチャンネル制御部１２の処理機能は、第１実施形態と同様である。
【００３５】
［２．２］　第２実施形態の動作
次に、図９を参照して、５台の音響再生出力装置を接続した場合の動作例について説明する。
ここで、第１実施形態に係る音響再生出力システム１においては、２台の音響再生出力装置を接続させいずれか一方の音響再生出力装置において再生された２チャンネルの音響信号を各音響再生出力装置から出力させているが、第２実施形態に係る音響再生出力システム２においては、５台の音響再生出力装置を接続させて一の音響再生出力装置において再生された５．１チャンネルの音響信号を各音響再生出力装置から出力させている点で異なる。
【００３６】
まず、音響再生出力装置１０のチャンネル制御部１２は、端子１４に出力／入力用コードのプラグが差し込まれているか否かを判断する（ステップＳ４１）。ステップＳ４１の判断において、出力／入力用コードのプラグが差し込まれていると判断された場合に（ステップＳ４１；ＹＥＳ）、音響再生出力装置１０のチャンネル制御部１２は、出力設定条件メモリ１７から設定内容を抽出する（ステップＳ４２）。ここで、この動作例では、音響再生出力装置１０の出力設定条件メモリ１７に対して、図８に示される設定内容が予め登録されているものとする。
次に、音響再生出力装置１０のＭＤ再生部１１は、当該音響再生出力装置１０にセットされたＭＤから５．１チャンネルのステレオ音響信号を読み出して再生する（ステップＳ４３）。
【００３７】
音響再生出力装置１０のチャンネル制御部１２は、設定内容にしたがってＣチャンネル用の音響信号を取り除いた他のチャンネル用の音響信号情報を端子１４を介して音響再生出力装置２０に出力する（ステップＳ４４）。
ここで、チャンネル制御部１２は、Ｃチャンネル用の音響信号を取り除いた他のチャンネル用の音響信号を、図１０に示されるデータ形式に変換し、音響信号情報として出力する。図１０に示される音響信号情報は、データ識別９１とデータ内容９２とを含んだ音響信号情報データにより構成される。データ識別９１には、出力設定条件メモリ１７の接続番号エリア１７５に格納されている番号が格納される。また、データ内容９２には、出力設定条件メモリ１７のチャンネルの種類エリア１７２に格納されているチャンネル用の音響信号が格納される。例えば、図１０に示される音響信号情報データ９３は、データ識別９１が“２”で、データ内容９２が“ＦＲチャンネル用の音響信号”である。したがって、この音響信号情報データ９３は、接続番号１７５が“２”である音響再生出力装置からＦＲチャンネル用の音響信号を出力させるものである。
【００３８】
音響再生出力装置１０から出力された音響信号情報を音響再生出力装置２０の端子１４を介して入力した音響再生出力装置２０チャンネル制御部１２は、出力設定条件メモリ１７の接続番号エリア１７５に格納されている番号に基づいて、音響信号情報からデータ識別９１が“２”である音響信号データを分離して抜き出す。そして、チャンネル制御部１２は、抜き出した音響信号情報データのデータ内容９２に格納された音響信号を出力の対象となる音響信号として抽出する。チャンネル制御部１２は、抜き出した音響信号情報データ以外の音響信号情報データからなる音響信号情報を端子１４を介して音響再生出力装置３０に対して出力する（ステップＳ４５）。以下、同様の処理が音響再生出力装置３０，４０において行われる（ステップＳ４６およびＳ４７）。
【００３９】
以上の結果、音響再生出力装置１０のチャンネル制御部１２は、抽出した音響信号に対応する音響を内臓スピーカー１３から出力させる（ステップＳ４８）。この動作例においては、Ｃチャンネル用の音響信号に対応する音響が内臓スピーカー１３から出力される。
以下、同様にして、音響再生出力装置２０，３０，４０，５０のチャンネル制御部１２は、各々ＦＲチャンネル用の音響信号に対応する音響、ＦＬチャンネル用の音響信号に対応する音響、ＲＲチャンネル用の音響信号に対応する音響をＲＬチャンネル用の音響信号に対応する音響を内臓スピーカー１３から出力させる（ステップＳ４９ないしＳ５２）。
ここで、再生装置の切り換えおよび遅延再生に伴う動作は、第１実施形態の各動作例において説明した概念と同様の概念により処理が行われるため説明を省略する。
【００４０】
［２．３］　第２実施形態の変形例
なお、上述した第２実施形態においては、音響再生出力装置の接続台数が５台に設定されている場合を記載したが、音響再生出力装置の接続台数は５台に限られない。例えば、音響再生出力装置の接続台数を３台に設定してもよい。その場合には、各音響再生出力装置に格納されている設定内容の接続台数１７４を“３”台に設定し、チャンネルの種類１７２をそれぞれ“Ｃ”、“Ｒ”、“Ｌ”に設定すればよい。
【００４１】
［３］　実施形態の効果
上述したように、音響再生出力装置を複数台接続することにより、一の音響再生出力装置において再生された音響信号に対応する音響を、接続された他の音響再生出力装置のスピーカーから出力させることが可能となる。
【００４２】
また、一の音響再生出力装置において再生される音響信号が複数のチャンネルに対応している場合には、各音響再生出力装置に各チャンネルに対応している音響の出力を割り当てることにより、新たなステレオシステムを構築することが可能となる。
【００４３】
また、他の音響再生出力装置において出力させる音響は、一の音響再生出力装置において出力される音響と同時に出力させることが可能であり、さらに、少しずつ遅延させて出力させることも可能であるため、音響を出力する際のバリエーションを増やすことができる。
【００４４】
［４］　実施形態の変形例
なお、上述した各実施形態においては、各音響再生出力装置を接続する際に、出力／入力用コードを用いて接続しているが、各音響再生出力装置を接続する方法はこの実施形態に限られない。例えば、音響再生出力装置に無線接続用のインターフェースを備えて無線接続するようにしてもよい。
【００４５】
また、上述した各実施形態において、音響再生出力装置は、１つのスピーカーにより構成されているが、スピーカーの構成はこの実施形態に限られない。例えば、スピーカーを２つ以上備え、ステレオ音響を出力するようにしてもよい。
【００４６】
また、上述した各実施形態においては、端子１４に、出力／入力用コードのプラグが差し込まれているが、１つの端子である必要はなく、出力用の端子と入力用の端子を別個に設けるようにしてもよい。
【００４７】
なお、上述した各実施形態に係る音響再生出力装置の各種機能を実現する方法は、この音響再生出力装置において行われる各種機能を実行させるためのプログラムを予め音響再生出力装置に格納して実現する場合に限られない。例えば、このプログラムを記録した記録媒体からプログラムを読み取った後にインストールして実現する場合や、このプログラムを電気通信回線を通じて音響再生出力装置にダウンロードした後にインストールして実現する場合であってもよい。
【００４８】
【発明の効果】
上述したように本発明によれば、複数の機器のスピーカーの有効利用を図ることが可能となる。
【図面の簡単な説明】
【図１】第１実施形態に係る音響再生出力装置の概要構成を示す図である。
【図２】第１実施形態に係る設定内容のデータ構成を示す図である。
【図３】第１実施形態に係る２台の音響再生出力装置を接続した際の構成を示す図である。
【図４】第１実施形態に係る音響再生出力装置の動作例を示すフローチャートである。
【図５】第１実施形態に係る音響再生出力装置の動作例を示すフローチャートである。
【図６】第１実施形態に係る音響再生出力装置の動作例を示すフローチャートである。
【図７】第２実施形態に係る音響再生出力システムの概要構成を示す図である。
【図８】第２実施形態に係る設定内容のデータ構成を示す図である。
【図９】第２実施形態に係る音響再生出力システムの動作例を示すフローチャートである。
【図１０】第２実施形態に係る音響信号情報のデータ構成を示す図である。
【符号の説明】
１０，２０，３０，４０，５０…音響再生出力装置、
１１…ＭＤ再生部（再生部）、
１２…チャンネル制御部（出力制御部）、
１３…内蔵スピーカー（スピーカー）、
１４…出力／入出端子（外部出力端子、入力部）、
１５…ＨＰ端子、
１６…操作部、
１７…出力設定条件メモリ（記憶部）、
１８…表示部。
【図１】
2004007536.tif 000003
【図２】
2004007536.tif 000004
【図３】
2004007536.tif 000005
【図４】
2004007536.tif 000006
【図５】
2004007536.tif 000007
【図６】
2004007536.tif 000008
【図７】
2004007536.tif 000009
【図８】
2004007536.tif 000010
【図９】
2004007536.tif 000011
【図１０】
2004007536.tif 000012